(57)【要約】【課題】ユーザによる電源入要求が行われる可能性が高い場合に，動作モードを前記一部待機モードに移行させることのできるデジタルテレビジョン受像機を提供すること。【解決手段】デジタルテレビジョン放送の受信や出力に係る複数の機能のうち少なくとも２以上の前記機能が停止される第一の待機モードと，前記第一の待機モードよりも少ない数の前記機能が停止される第二の待機モードとを有するデジタルテレビジョン受像機に適用されるものであって，ユーザが当該デジタルテレビジョン受像機の近傍に居ること，例えば当該デジタルテレビジョン受像機の近傍の照度が予め設定された照度以上になったことを条件に（Ｓ６のＹｅｓ側），前記第一の待機モードから前記第二の待機モードに切り替える（Ｓ７）ように構成される。【選択図】図１
2008022115.tif 000002
【特許請求の範囲】
【請求項１】
デジタルテレビジョン放送の受信及び／又は出力に係る複数の機能のうち少なくとも２以上の前記機能が停止される第一の待機モードと，前記第一の待機モードよりも少ない数の前記機能が停止される第二の待機モードとを有するデジタルテレビジョン受像機であって，
ユーザが当該デジタルテレビジョン受像機の近傍に居るか否かを判定するユーザ存在判定手段と，
前記ユーザ存在判定手段によりユーザが当該デジタルテレビジョン受像機の近傍に居ると判定されたことを条件に，前記第一の待機モードから前記第二の待機モードに切り替える待機モード切替手段と，
を備えてなることを特徴とするデジタルテレビジョン受像機。
【請求項２】
前記ユーザ存在判定手段が，当該デジタルテレビジョン受像機近傍の照度及び／又は照度変化率を検出する照度検出手段を含んでなり，前記照度検出手段により検出された照度及び／又は照度変化率が，予め定められた設定値以上である場合に，ユーザが当該デジタルテレビジョン受像機の近傍に居ると判定するものである請求項１に記載のデジタルテレビジョン受像機。
【請求項３】
前記照度検出手段が，前記デジタルテレビジョン放送に含まれた映像を表示する際の明度調節に用いられるものである請求項２に記載のデジタルテレビジョン受像機。
【請求項４】
複数の前記機能が，前記デジタルテレビジョン放送を受信するデジタルテレビジョン放送受信機能と，前記デジタルテレビジョン放送受信機能により受信された前記デジタルテレビジョン放送に含まれる映像信号に各種の信号処理を施す映像信号処理機能と，前記デジタルテレビジョン放送受信機能により受信された前記デジタルテレビジョン放送に含まれる音声信号に各種の信号処理を施す音声信号処理機能と，前記映像信号処理機能により各種の信号処理が施された後の映像信号に基づいて映像を表示する映像表示機能と，前記音声信号処理機能により各種の信号処理が施された後の音声信号に基づいて音声を再生する音声再生機能と，を含んでなる請求項１〜３のいずれかに記載のデジタルテレビジョン受像機。
【請求項５】
予め定められた有効時間内である場合に，前記待機モード切替手段による前記第一の待機モードから前記第二の待機モードへの切り替えを有効とし，前記有効時間外である場合には，前記待機モード切替手段による前記第一の待機モードから前記第二の待機モードへの切り替えを無効とする切替有効制御手段を更に備えてなる請求項１〜４のいずれかに記載のデジタルテレビジョン受像機。
【請求項６】
前記待機モード切替手段が，前記第二の待機モードが所定の時間以上継続したことを条件に，前記第二の待機モードから前記第一の待機モードに切り替えるものである請求項１〜５のいずれかに記載のデジタルテレビジョン受像機。
【発明の詳細な説明】
【技術分野】
【０００１】
本発明は，デジタルテレビジョン放送を受信して表示するテレビジョン受像機に関し，特に，前記デジタルテレビジョン放送の受信や出力（映像出力，音声出力）に係る機能を停止する待機モードに関するものである。
【背景技術】
【０００２】
従来より，デジタルテレビジョン放送（以下「デジタル放送」と略称する）を受信して出力（映像出力，音声出力）するデジタルテレビジョン受像機（以下「デジタルテレビ」と略称する）は，そのデジタルテレビジョン放送の受信や出力に係る全ての機能が動作する通常動作モードと，それらの全ての機能を停止して当該デジタルテレビを制御するマイコンだけを有効に動作させる完全待機モードとを有している。
前記デジタルテレビは，商用交流電源に接続されると前記完全待機モードで動作し，その後，ユーザによってリモコンの電源ボタンが押下されること等により電源入要求が行われると，所定の処理手順で前記通常動作モードに移行する。
【０００３】
ところで，特許文献１にも記載されているように，前記デジタルテレビにおいて前記完全待機モードから前記通常動作モードに移行する前記所定の処理手順に必要な処理時間，即ち電源入要求から前記デジタル放送が出力されるまでの時間は，アナログテレビジョン放送（以下「アナログ放送」と略称する）を受信して出力するアナログテレビジョン受像機（以下「アナログテレビ」と略称する）に比べて長くなる。前記特許文献１では，ユーザにより電源入要求が行われた時刻の履歴を記憶しておき，その履歴から電源入要求が行われる時刻を予測し，その予測時刻になると，前記完全待機モードで停止された機能の一部を先に有効に動作させておく一部待機モードに切り替えることが提案されている。これにより，前記予測時刻以降に電源入要求が行われた場合には，前記一部待機モードから前記通常動作モードへ移行させればよいため，前記完全待機モードから前記通常動作モードへ移行させる場合に比べて，デジタル放送の出力を開始するまでの時間を短縮することができる。
【特許文献１】特開２００５−１９１８１５号公報
【発明の開示】
【発明が解決しようとする課題】
【０００４】
しかしながら，ユーザによるデジタルテレビの電源入時刻に規則性がなく，電源入時刻を予測することが困難な場合がある。電源入時刻を正確に予測することができない場合には，該予測時刻前にユーザによる電源入要求が行われて，結局デジタル放送の出力に長時間を要することになる。
また，常時，前記一部待機モードで動作させることも考えられるが，該一部待機モードは前記通常動作モードに比べて電力消費を省減することができるが，前記完全待機モードに比べれば電力消費の省減量が少ないため，待機中は，できるだけ前記完全待機モードで動作させることが望ましい。
従って，本発明は上記事情に鑑みてなされたものであり，その目的とするところは，ユーザによる電源入要求が行われる可能性が高い場合に，動作モードを前記一部待機モードに移行させることのできるデジタルテレビジョン受像機を提供することにある。
【課題を解決するための手段】
【０００５】
上記目的を達成するために本発明は，デジタルテレビジョン放送の受信や出力に係る複数の機能のうち少なくとも２以上の前記機能が停止される第一の待機モードと，前記第一の待機モードよりも少ない数の前記機能が停止される第二の待機モードとを有するデジタルテレビジョン受像機に適用されるものであって，ユーザが当該デジタルテレビジョン受像機の近傍に居るか否かを判定し，ユーザが当該デジタルテレビジョン受像機の近傍に居ると判定されたことを条件に，前記第一の待機モードから前記第二の待機モードに切り替えることを特徴とするデジタルテレビジョン受像機として構成される。
本発明によれば，ユーザが前記デジタルテレビジョン受像機の近傍に居る場合，即ち，前記デジタルテレビジョン受像機の電源入要求が行われる可能性が高い場合に，前記第一の待機モードから前記第二の待機モードに移行する。したがって，前記デジタルテレビジョン受像機が，無駄に前記第二の待機モードに移行することを抑制して省電力を図ることができる。なお，前述したように，前記第二の待機モードの解除（通常動作モードへの移行）は，前記第一の待機モードの解除よりも迅速に行われる。
具体的に，複数の前記機能は，前記デジタルテレビジョン放送を受信するデジタルテレビジョン放送受信機能や，前記デジタルテレビジョン放送受信機能により受信された前記デジタルテレビジョン放送に含まれる映像信号に各種の信号処理を施す映像信号処理機能，前記デジタルテレビジョン放送受信機能により受信された前記デジタルテレビジョン放送に含まれる音声信号に各種の信号処理を施す音声信号処理機能，前記映像信号処理機能により各種の信号処理が施された後の映像信号に基づいて映像を表示する映像表示機能，前記音声信号処理機能により各種の信号処理が施された後の音声信号に基づいて音声を再生する音声再生機能などであることが考えられる。
【０００６】
ここで，前記デジタルテレビジョン受像機が設置された部屋の照明が点けられること等により，該デジタルテレビジョン受像機の近傍の照度が十分に高い場合には，ユーザが前記デジタルテレビジョン受像機の近傍に居る可能性が高い。
そこで，当該デジタルテレビジョン受像機近傍の照度や照度変化率を検出する照度検出手段を設けておき，その照度検出手段により検出された照度や照度変化率が予め定められた設定値以上であることに場合に，ユーザが当該デジタルテレビジョン受像機の近傍に居ると判定することが考えられる。また，前記照度変化率は，照度が変化した割合を示すものであるため，例えば太陽光によって朝から昼にかけて照度が徐々に高くなる場合と，ユーザにより人為的に照明がつけられて照度が急激に高くなる場合とを区別することができる。
また，前記デジタルテレビジョン受像機には，前記デジタルテレビジョン放送に含まれた映像を表示する際の明度調節に用いるために，該デジタルテレビジョン受像機の近傍の照度を検出する手段が設けられる場合がある。この場合には，前記明度調節に用いるために照度を検出する手段を，前記照度検出手段として用いることにより構成要素の増加させることなく本発明を実現することができる。
【０００７】
さらに，予め定められた有効時間内である場合に，前記待機モード切替手段による前記第一の待機モードから前記第二の待機モードへの切り替えを有効とし，前記有効時間外である場合には，前記待機モード切替手段による前記第一の待機モードから前記第二の待機モードへの切り替えを無効とすることが望ましい。この場合には，ユーザが当該デジタルテレビジョン受像機の近傍に居るか否かの判定結果と前記有効時間との組み合わせによって前記第一の待機モードから前記第二の待機モードへの切り替えが制御されるため，無駄な前記第二の待機モードへの移行を防止して省電力化を実現することができる。例えば，昼間を前記有効時間外として設定することにより，ユーザによる人為的なものではない太陽光などによって照度が高くなった場合に，前記第一の待機モードから前記第二の待機モードへ切り替わらないように制御することが可能となる。
また，前記第二の待機モードが所定の時間以上継続したことを条件に，前記第二の待機モードから前記第一の待機モードに切り替えることが望ましい。これにより，前記第二の待機モードの不要な継続による電力消費を抑制することができる。
【発明の効果】
【０００８】
本発明によれば，ユーザが前記デジタルテレビジョン受像機の近傍に居る場合，即ち，前記デジタルテレビジョン受像機の電源入要求が行われる可能性が高い場合に，前記第一の待機モードから前記第二の待機モードに移行する。したがって，前記デジタルテレビジョン受像機が，無駄に前記第二の待機モードに移行することを抑制して省電力を図ることができる。なお，前述したように，前記第二の待機モードの解除（通常動作モードへの移行）は，前記第一の待機モードの解除よりも迅速に行われる。
また，ユーザが当該デジタルテレビジョン受像機の近傍に居るか否かの判定結果と前記有効時間との組み合わせによって前記第一の待機モードから前記第二の待機モードへの切り替えを制御することにより，前記第二の待機モードに無駄に移行することを防止して省電力化を実現することができる。
【発明を実施するための最良の形態】
【０００９】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るデジタルテレビジョン受像機Ｘの概略構成を示すブロック図，図２は前記デジタルテレビジョン受像機Ｘにおいて実行される動作モード制御処理の手順の一例を説明するためのフローチャートである。
まず，図１を用いて，本発明の実施の形態に係るデジタルテレビジョン受像機Ｘ（以下「デジタルテレビＸ」と略称する）の概略構成について説明する。
図１に示すように，前記デジタルテレビＸは，メインマイコン１１，デジタル放送受信部１２，映像信号処理回路１３，映像出力コントロール回路１４，映像出力部１５，バックライト１６，音声信号処理回路１７，音声出力部１８，主電源スイッチ２１，リモコン信号受信部２２，時計２３，記憶装置２４，照度センサ２５（照度検出手段の一例），及び電源装置３１などを備えて概略構成されている。
前記メインマイコン１１は，ＣＰＵやＲＡＭ，ＲＯＭ等の制御機器を有してなり，前記デジタルテレビＸを統括的に制御するものである。
前記デジタル放送受信部１２は，アンテナやチューナを有してなり，各放送局から送信されるデジタルテレビジョン放送（以下「デジタル放送」と略称する）や該デジタル放送に関する番組情報（ＥＰＧ）などを受信すると共に，前記メインマイコン１１による指示に基づいて前記デジタル放送のうちの一つの放送番組に含まれる映像信号及び音声信号を抽出する。そして，前記デジタル放送受信部１２は，前記映像信号を前記映像信号処理回路１３に出力し，前記音声信号を前記音声信号処理回路１７に出力する。
【００１０】
前記映像信号処理回路１３では，前記映像信号にスケーリングや画質調整処理などの各種映像処理が施され，該処理後の映像信号は，前記映像出力コントロール回路１４に出力される。
前記映像出力コントロール回路１４は，前記映像信号処理回路１３から入力された映像信号に基づく映像を前記映像出力部１５に表示させるべく，該映像出力部１５の動作を制御する。
前記映像出力部１５は，液晶パネル及びその周辺機器等からなり，前記映像出力コントロール回路１４によって動作が制御されることにより，前記映像信号に基づく映像を表示する。
前記バックライト１６は，蛍光管やＬＥＤを有してなり，前記映像出力部１５の液晶パネルを背後から照明するものである。
一方，前記音声出力部１８は，スピーカ及びその周辺機器等からなり，入力された音声信号に基づいて音声を出力するものであって，前記音声信号処理回路１７は，前記メインマイコン１１から指示された増幅率に基づいて前記デジタル放送受信部１２から入力された前記音声信号に増幅処理を施すことにより前記音声出力部１８により出力される音声のボリュームを調整する。
【００１１】
前記主電源スイッチ２１は，前記デジタルテレビＸの前面パネルなどに設けられ，ユーザが該デジタルテレビＸに電源入要求や電源切要求を行うためのものである。
また，前記リモコン信号受信部２２は，ユーザが前記デジタルテレビＸの動作に関する操作を行う不図示のリモコン（遠隔操作機）から送信されるリモコン信号を受信するものであって，該リモコンから受信したリモコン信号を前記メインマイコン１１に入力する。前記リモコンには，ユーザが前記デジタルテレビＸに電源入要求や電源切要求を行うための電源スイッチや，チャンネル切り替えのためのチャンネル選択キー，音量調節のためのボリュームキーなどが設けられている。
【００１２】
前記時計２３は，現在時刻を前記メインマイコン１１に対して通知すると共に，前記デジタルテレビＸにおける各種の計時に用いられる。
前記記憶装置２４は，前記デジタルテレビＸに関する各種の設定情報を記憶するものである。具体的には，後述の動作モード制御処理（図２のフローチャート参照）において，ユーザが前記デジタルテレビＸの近傍に居ると判断するための設定照度や，後述の一部待機モードへの移行を有効とするか否か，該一部待機モードの有効時間などが予め記憶される。前記各種の設定情報は，初期設定により，或いはユーザにより任意に変更されることにより予め設定される。前記設定照度は，例えば前記デジタルテレビＸが設置された部屋の照明が点けられたときの照度近くに設定される。
前記照度センサ２５は，前記デジタルテレビＸ近傍の照度を検出するものであって，該検出照度は前記メインマイコン１１に入力される。ここに，前記照度センサ２５により検出された前記検出照度は，前記映像出力部１５に表示する映像の明度の調節や，前記バックライト１６の照度調節，後述の動作モード制御処理（図２のフローチャート参照）などに用いられる。即ち，前記デジタルテレビＸでは，前記映像出力部１５の明度の調節や前記バックライト１６の照度調節に用いるために従来から設けられている前記照度センサ２５による検出照度を，後述の動作モード制御処理（図２のフローチャート参照）に兼用している。
【００１３】
前記電源装置３１は，商用交流電源に接続されることにより，該商用交流電源電源から供給される電力を所定のレベルに変換して前記デジタルテレビＸに設けられた前記各構成要素に供給するものである。具体的には，前記電源装置３１から前記メインマイコン１１への電力経路３２，前記デジタル放送受信部１２及び前記映像信号処理回路１３への電力経路３３，前記音声信号処理回路１７及び前記映像出力コントロール回路１４への電力経路３４，前記バックライト１６への電力経路３５，前記映像出力部１５及び前記音声出力部１８への電力経路３６などが設けられている。
ここで，前記デジタルテレビＸでは，前記電源装置３１が商用交流電源に接続されている場合，該電源装置３１から前記メインマイコン１１には前記電力経路３２を介して常時電力が供給される。したがって，前記メインマイコン１１による各種の制御処理は実行可能な状態にある。なお，他に前記主電源スイッチ２１や前記リモコン信号受信部２２，前記時計２３，前記記憶装置２４，前記照度センサ２５などにも同様に電力が供給される。
【００１４】
一方，前記電力経路３３〜３６各々には，各電力経路の遮断及び確立を切り替えるためのスイッチ（ＳＷ）３３ａ〜３６ａが設けられている。前記ＳＷ３３ａ〜３６ａのＯＮ／ＯＦＦは，前記メインマイコン１１によって制御される。
前記デジタルテレビＸは，前記ＳＷ３３ａ〜３６ａを全てＯＮにすることにより前記デジタル放送の受信及び出力に係る機能の全てを有効にする通常動作モードと，前記ＳＷ３３ａ〜３６ａを全てＯＦＦにすることにより前記デジタル放送の受信及び出力に係る機能の全てを停止する完全待機モード（第一の待機モードの一例）と，前記ＳＷ３３ａをＯＮ，前記ＳＷ３４ａ〜３６ａをＯＦＦとすることにより，前記デジタル放送の受信機能だけを有効にし，前記デジタル放送の出力機能を停止する一部待機モードと（第二の待機モードの一例），を有している。
前記デジタルテレビＸでは，前記メインマイコン１１によって後述の動作モード制御処理（図２のフローチャート参照）が実行されることにより，前記通常動作モード，前記完全待機モード，前記一部待機モードのいずれかが選択されて実行される。
【００１５】
以下，図２のフローチャートに従って，前記デジタルテレビＸにおいて前記メインマイコン１１によって所定の制御プログラムにしたがって実行される動作モード制御処理の手順の一例について説明する。なお，図中のＳ１，Ｓ２，…は処理手順（ステップ）の番号を表している。
当該動作モード制御処理は，前記デジタルテレビＸが商用交流電源に接続され，前記電源装置３１から前記メインマイコン１１に電力供給が行われることにより該メインマイコン１１によって実行される。
まず，ステップＳ１では，前記メインマイコン１１によって，前記デジタルテレビＸの動作モードが前記完全待機モードに設定される。即ち，前記メインマイコン１１によって，前記電力経路３３〜３６が遮断されるように前記ＳＷ３３ａ〜３６ａが制御される。なお，前記ＳＷ３３ａ〜３６ａが既にＯＦＦ状態である場合には，その状態が継続される。
【００１６】
次に，ステップＳ２では，前記メインマイコン１１によって，電源入要求が行われた否かが判断される。具体的には，ユーザによって前記リモコン（不図示）の電源スイッチ或いは前記主電源スイッチ２１が押下操作されることにより，電源入要求信号が入力されたか否かが判断される。
ここで，前記電源入要求が行われたと判断されると（Ｓ２のＹＥＳ側），処理はステップＳ２１に移行して前記メインマイコン１１によって，前記ＳＷ３３ａ〜３６ａが順にＯＮに切り替えられることにより，前記デジタルテレビＸは前記完全待機モードから前記通常動作モードに移行する。
一方，前記電源入要求が行われていないと判断された場合には（Ｓ２のＮｏ側），処理はステップＳ３に移行する。
【００１７】
ステップＳ３では，前記メインマイコン１１によって，前記記憶装置２４に記憶された各種の設定情報が読み出される。具体的には，前記設定照度や前記有効時間，前記一部待機モードの有効設定の有無などに関する設定情報が取得される。
そして，ステップＳ４では，前記メインマイコン１１によって，前記一部待機モードへの移行が有効に設定されているか否かが判断される。ここで，前記一部待機モードへの移行が有効に設定されていると判断されると（Ｓ４のＹｅｓ側），処理はステップＳ５に移行し，有効に設定されていないと判断されると（Ｓ４のＮｏ側），処理は前記ステップＳ２に戻る。なお，前記一部待機モードを有効とするか否かの設定は，前記リモコン（不図示）などの操作によりユーザによって変更可能である。
【００１８】
ステップＳ５では，前記メインマイコン１１によって，前記時計２３から入力されている現在時刻が，前記有効時間内であるか否かが判断される。
ここで，現在時刻が前記有効時間内であると判断されると（Ｓ５のＹＥｓ側），処理はステップＳ６に移行するが，前記有効時間外であると判断されると（Ｓ５のＮｏ側），処理は前記ステップＳ２に戻る。
例えば，前記有効時間が，午後１７：００〜午前７：００に設定されている場合には，現在時刻が午後１７：００〜午前７：００内である場合にのみ処理がステップＳ６に移行する。即ち，現在時刻が前記有効時間内である場合には，後述のステップＳ７における前記完全待機モードから前記一部待機モードへの切り替えが有効となるが，現在時刻が前記有効時間外である場合には，処理がステップＳ６以後に進まず，後述のステップＳ７における待機モードの切り替えが無効となる。これにより，例えば太陽光などにより部屋が明るくなる場合を除外することができる。
【００１９】
次に，ステップＳ６では，前記メインマイコン１１によって，前記照度センサ２５による検出照度が，前記設定照度以上であるか否かが判断される。ここでは，前記照度センサ２５による検出照度が前記設定照度以上であるか否かによって，ユーザが前記デジタルテレビＸの近傍に居るか否かが判定される。ここに，かかる判定処理を実行するときの前記メインマイコン１１がユーザ存在判定手段に相当する。
ここで，前記照度センサ２５による検出照度が前記設定照度以上であると判断された場合，即ちユーザが前記デジタルテレビＸの近傍に居る可能性が高く，電源入要求が行われる可能性が高い場合には（Ｓ６のＹｅｓ側），処理はステップＳ７に移行する。他方，前記設定照度未満であると判断された場合には（Ｓ６のＮｏ側），ユーザが前記デジタルテレビＸの近傍に居る可能せいが低く，電源入要求が行われる可能性が低いため，処理は前記ステップＳ２に戻る。
【００２０】
そして，ステップＳ７では，前記メインマイコン１１によって，動作モードを前記完全待機モードから前記一部待機モードへ移行させるための移行処理が実行される。ここに，かかる処理を実行するときの前記メインマイコン１１が待機モード切替手段に相当する。
具体的には，まず，前記メインマイコン１１によって前記ＳＷ３３ａがＯＮに切り替えられる。これにより，前記電源装置３１から前記電力経路３３を介して前記デジタル放送受信部１２及び前記映像信号処理回路１３に電力が供給され，前記デジタル放送受信部１２及び前記映像信号処理回路１３の機能が有効となる。
次に，前記メインマイコン１１によって前記ＳＷ３４ａがＯＮに切り替えられる。これにより，前記電源装置３１から前記電力経路３４を介して前記映像出力コントロール回路１４及び前記音声信号処理回路１７に電力が供給され，前記映像出力コントロール回路１４及び前記音声信号処理回路１７の機能が有効となる。
このように，前記完全待機モードで停止されていた前記デジタル放送受信部１２，前記映像信号処理回路１３，前記映像出力コントロール回路１４及び前記音声信号処理回路１７が有効に機能する状態が一部待機状態である。なお，この時点では，前記映像出力部１５，前記バックライト１６，前記音声出力部１８の機能は停止されている。
【００２１】
その後，ステップＳ８では，前記メインマイコン１１によって，前記一部待機状態の継続時間の計時が開始される。
そして，ステップＳ９では，前記メインマイコン１１によって，電源入要求が行われた否かが判断される。具体的には，前記リモコン（不図示）の電源スイッチ或いは前記主電源スイッチ２１が押下操作されることにより，電源入要求信号が入力されたか否かが判断される。
ここで，前記電源入要求が行われたと判断されると（Ｓ９のＹＥＳ側），処理はステップＳ９１に移行し，前記電源入要求が行われていないと判断されると（Ｓ９のＮｏ側），処理はステップＳ１０に移行する。
【００２２】
前記ステップＳ９１では，前記メインマイコン１１によって，動作モードを前記一部待機モードから前記通常動作モードへ移行させるための移行処理が実行される。
具体的には，まず，前記メインマイコン１１によって前記ＳＷ３５ａがＯＮに切り替えられる。これにより，前記電源装置３１から前記電力経路３５を介して前記バックライト１６に電力が供給され，前記バックライト１６の機能が有効となる。
次に，前記メインマイコン１１によって前記ＳＷ３６ａがＯＮに切り替えられる。これにより，前記電源装置３１から前記電力経路３６を介して前記映像出力部１５及び前記音声出力部１８に電力が供給され，前記映像出力部１５及び前記音声出力部１８の機能が有効となる。
これにより，前記デジタルテレビＸは，前記デジタル放送受信部１２で受信されたデジタル放送の映像が前記映像出力部１５から出力され，音声が前記音声出力部１８から出力される通常動作モードに移行する。
このとき前記ステップＳ９１で実行される通常動作モードへの移行処理は，前記ステップＳ２１における移行処理に比べて処理時間が短縮されている。具体的には，前記ステップＳ２１では，前記完全待機モードから前記通常動作モードに移行させるのに対して，前記ステップＳ９１では，前記完全待機モードよりも少ない機能が停止された前記一部待機モードから前記通常動作モードに移行させているため，ユーザによる電源入要求からデジタル放送の出力までの時間が短縮される。
【００２３】
一方，ステップＳ１０〜Ｓ１１では，現在時刻が前記有効時間内であって，前記照度センサ２５による検出照度が前記設定照度以上であるという条件を満たしているか否かが前記メインマイコン１１によって判断される。
ここで，前記条件が満たされていると判断されると（Ｓ１０及びＳ１１のＹｅｓ側），処理はステップＳ１２に移行し，満たされていないと判断されると（Ｓ１０或いはＳ１１のＮｏ側），処理はステップＳ１３に移行する。
【００２４】
ステップＳ１２では，前記ステップＳ８で計時が開示された継続時間が所定時間以上であるか否かが前記メインマイコン１１によって判断される。ここで，前記継続時間が所定時間以上であると判断された場合には（Ｓ１２のＹｅｓ側），処理はステップＳ１３に移行し，前記所定時間未満であると判断された場合には（Ｓ１２のＮｏ側），処理は前記ステップ９に戻る。
ステップＳ１３では，前記メインマイコン１１によって，前記デジタルテレビＸの動作モードが前記一部待機モードから前記完全待機モードに切り替えられる。即ち，前記ＳＷ３３ａ及び３４ａがＯＦＦに切り替えられることにより，前記デジタル放送受信部１２，前記映像信号処理回路１３，前記映像出力コントロール回路１４，前記音声信号処理回路１７の機能が停止される。このように，前記一部待機モードが前記所定時間以上継続した場合に，前記完全待機モードに戻すように制御することにより，無駄な電力消費をできるだけ抑制することができる。
【００２５】
その後，ステップＳ１４では，前記メインマイコン１１によって，電源入要求が行われたか否かが判断され，該電源入要求が行われた場合には（Ｓ１４のＹｅｓ側），処理は前記ステップＳ２１に移行して通常動作モードに移行される。なお，前記ステップＳ１４において前記電源入要求が行われていないと判断されている場合には，前記ステップＳ１４が繰り返し実行される。なお，前記ステップＳ１４がある程度長い時間繰り返し実行された場合に，処理が前記ステップＳ２に戻るように制御してもよい。
【００２６】
以上説明したように，前記デジタルテレビＸでは，現在時刻が前記有効時間内であって，且つ前記照度検出センサ２５による検出照度が前記設定照度以上である場合に，前記完全待機モードから前記一部待機モードに移行させておくことにより，ユーザにより前記電源入要求が行われた場合に，迅速にデジタル放送の出力を開始することができる。しかも，ユーザが前記デジタルテレビＸの近傍に居る可能性が高い場合，即ち，前記電源入要求が行われる可能性が高い場合にのみ，前記完全待機モードから前記一部待機モードへの移行が行われるため，不要に前記一部待機モードに移行して無駄な電力を消費することを防止することができる。
【００２７】
なお，本実施の形態では，前記一部待機モードの一例として，前記デジタル放送受信部１２，前記映像信号処理回路１３，前記映像出力コントロール回路１４，前記音声信号処理回路１７の機能と有効とし，前記映像出力部１５，前記バックライト１６，前記音声出力部１８の機能を停止する場合を説明したが，前記一部待機モードはこれに限られるものではない。例えば，前記デジタル放送受信部１２だけに電力を供給して該デジタル放送受信部１２の機能だけを有効とすることが考えられる。この場合，前記映像信号処理回路１３は前記電力経路３４に接続すればよい。
また，前記ステップＳ６では，前記照度センサ２５によって検出された照度が前記設定照度以上であるか否かによって，ユーザが前記デジタルテレビＸの近傍に居るか否かを判定しているが，これに限られるものではない。例えば，前記照度センサ２５によって検出される照度の変化率によって判定してもよい。具体的には，ユーザにより前記デジタルテレビＸが設置された部屋の照明が点けられた場合における照度変化率を設定変化率として予め設定しておき，前記照度センサ２５による検出照度の変化率を検出して，該検出変化率が前記設定変化率以上であるか否かを判定することが考えられる。もちろん，前記照度及び前記照度変化率の両方に基づいて判定してもかまわない。
また，ユーザが前記デジタルテレビＸの近傍に居るか否かの判定を，人体の動作や存在などを感知する赤外線センサを用いて行うことも他の実施例として考えられる。
【図面の簡単な説明】
【００２８】
【図１】本発明の実施の形態に係るデジタルテレビジョン受像機の概略構成を示すブロック図。
【図２】本発明の実施の形態に係るデジタルテレビジョン受像機において実行される動作モード制御処理の手順の一例を説明するためのフローチャート。
【符号の説明】
【００２９】
１１…メインマイコン
１２…デジタル放送受信部
１３…映像信号処理回路
１４…映像出力コントロール回路
１５…映像出力部
１６…バックライト
１７…音声信号処理回路
１８…音声出力部
２１…主電源スイッチ
２２…リモコン信号受信部
２３…時計
２４…記憶装置
２５…照度センサ
３１…電源装置
３２〜３６…電力経路
３３ａ〜３６ａ…スイッチ
Ｓ１，Ｓ２，，，…処理手順（ステップ）番号
【図１】
2008022115.tif 000003
【図２】
2008022115.tif 000004